(57)【要約】【課題】  快適なミストサウナが行え、かつミストサウナ使用中でも給湯使用を可能とするミストサウナ兼用給湯装置を実現する。【解決手段】  熱源機１に対して浴室ＢＲのミストノズル２０に接続したミストサウナ管路２を設けたミストサウナ兼用給湯装置において、給水管路６からバイパスさせて出湯管路７に接続させるバイパス管路６１と、バイパス管路６１と出湯管路７との合流部に設けられてバイパス管路６１からの水と出湯管路７からの温水とを混合調節してミスト設定温度に温調するミキシングバルブ９と、ミストサウナ管路２に設けてミキシングバルブ９によって温調された温水の流通または遮断を行う開閉弁２１と、給水管路６に設けた水量センサＳが一定の作動水量を検知するとバーナ燃焼を許可するが、開閉弁２１が開弁されたミストサウナ使用時には水量センサＳが作動水量に達しない小水量を検知するとバーナ燃焼を許可する制御部８とを備える。【選択図】  図１
2006275338.tif 000002
【特許請求の範囲】
【請求項１】
熱交換器を加熱するバーナと、熱交換器の入水口に接続された給水管路と、熱交換器の出水口に接続された出湯管路と、上記給水管路に設けた水量センサとを備えた熱源機にあって、上記出湯管路に対して浴室のミストノズルに接続したミストサウナ管路を設けたミストサウナ兼用給湯装置において、
上記給水管路からバイパスさせてこの給水管路の水を上記出湯管路からの温水に合流させるバイパス管路と、
上記バイパス管路からの水と上記出湯管路からの温水とを混合調節して所望のミスト設定温度に温調する混合調節器と、
上記ミストサウナ管路に設けて上記混合調節器によって温調された温水の流通または遮断を行う開閉弁と、
上記水量センサが一定の作動水量を検知するとバーナ燃焼を許可するが、上記開閉弁が開弁されたミストサウナ使用時には上記水量センサが作動水量に達しない小水量を検知するとバーナ燃焼を許可する制御部とを備えたことを特徴とするミストサウナ兼用給湯装置。
【請求項２】
請求項１に記載のミストサウナ兼用給湯装置において、
上記混合調節器は、上記出湯管路におけるミストサウナ管路の接続位置よりも上流位置に設けたミストサウナ兼用給湯装置。
【請求項３】
請求項１に記載のミストサウナ兼用給湯装置において、
上記混合調節器は、上記ミストサウナ管路における開閉弁よりも上流位置に設けたミストサウナ兼用給湯装置。
【発明の詳細な説明】
【技術分野】
【０００１】
本発明は、熱源機の熱交換器に接続した出湯管路に対して浴室のミストノズルに接続したミストサウナ管路を設けたミストサウナ兼用給湯装置に関するものである。
【背景技術】
【０００２】
従来、浴用噴出装置として、図４に示すように、熱源機１０１の熱交換器１０４に接続した出湯管路１０７からミストサウナ管路１０２を分岐させ、この分岐部に出湯管路１０７とミストサウナ管路１０２との連通状態を択一的に切換える切換え弁１０９を設けたものがある（特許文献１）。そして、この浴用噴出装置では、上記切換え弁１０９をミストサウナ管路１０２側に切換えて、熱交換器１０４で加熱した温水をこのミストサウナ管路１０２を通して浴室ＢＲのミストノズル１２０からミストとして噴出させる。
【特許文献１】特開平４−２４１８６７号公報
【特許文献２】特開２０００−２３７２７３号公報
【発明の開示】
【発明が解決しようとする課題】
【０００３】
ところで、浴室ＢＲにおけるミストサウナでは、約２リットル／分程度の少量の水量しか使用されないため、上記浴用噴出装置においてミストサウナだけの使用では、熱交換器１０４には２リットル／分程度の少量の水量しか流されない。また、熱源機１０１には、熱交換器１０４での空焚きや出湯温度の過剰昇温等を防止するため、熱交換器１０４での水量が約４リットル／分程度の作動水量以上にならないと、バーナ燃焼を行わない制御となっているものがある。そのため、切換え弁１０９によってミストサウナ管路１０２側に連通させたミストサウナ使用時において、上記作動水量に達しないことでバーナ燃焼が行われない自体となり、温水のミストサウナが実現されないことがある。
そこで、熱源機１０１において、ミストサウナ使用時は、例えば強制的にバーナ燃焼を行わせてミストサウナ使用を実現することも考えられる。しかし、この場合でも、ミストサウナに使用される水量が少量であることから、過剰に熱せられた温水がミストサウナ管路１０２に流れ込んでミストノズル１２０から噴出され、快適なミストサウナ使用が困難となり得る。
一方、上記従来の浴用噴出装置のように、切換え弁１０９によって出湯管路１０７がミストサウナまたは給湯のいずれかに択一的に切換えられると、ミストサウナ使用の間は給湯使用が行えず、使い勝手がよくない。
本発明は、上記事情に鑑みてなされたものであり、快適なミストサウナが行え、かつミストサウナ使用中でも給湯使用を可能とするミストサウナ兼用給湯装置を実現することを課題とする。
【課題を解決するための手段】
【０００４】
（１）本発明におけるミストサウナ兼用給湯装置は、熱交換器を加熱するバーナと、熱交換器の入水口に接続された給水管路と、熱交換器の出水口に接続された出湯管路と、上記給水管路に設けた水量センサとを備えた熱源機にあって、上記出湯管路に対して浴室のミストノズルに接続したミストサウナ管路を設けたミストサウナ兼用給湯装置において、上記給水管路からバイパスさせてこの給水管路の水を上記出湯管路からの温水に合流させるバイパス管路と、上記バイパス管路からの水と上記出湯管路からの温水とを混合調節して所望のミスト設定温度に温調する混合調節器と、上記ミストサウナ管路に設けて上記混合調節器によって温調された温水の流通または遮断を行う開閉弁と、上記水量センサが一定の作動水量を検知するとバーナ燃焼を許可するが、上記開閉弁が開弁されたミストサウナ使用時には上記水量センサが作動水量に達しない小水量を検知するとバーナ燃焼を許可する制御部とを備えたことを特徴とするものである。
これにより、ミストサウナ使用時は作動水量に達しない小水量しか使用されない場合でも、水量センサが上記小水量を検知すれば、制御部によってバーナ燃焼させるようにするので、温水ミストによるミストサウナ使用を確実に行うことができる。また、混合調節器によって出湯管路からの温水とバイパス管路からの水とを混合調節して温調された温水をミストサウナ管路に通水させるので、小水量しか使用されないミストサウナ使用であっても所望のミスト設定温度に調整された温水ミストをミストノズルから噴出することができる。しかも、切換え弁を設けずにミストサウナ管路を出湯管路に接続するので、ミストサウナ使用中でも給湯使用することができる。
【０００５】
（２）また、上記混合調節器は、上記出湯管路におけるミストサウナ管路の接続位置よりも上流位置に設けてもよい。
この場合、混合調節器が出湯管路に設けられることから、ミストサウナ使用中は上記混合調節器で所望のミスト設定温度に温調された温水がミストサウナ管路のみならず出湯口に通じる出湯管路側にも供給される。従って、出湯口に通じる出湯管路側には熱交換器で加熱された温水よりも低温のミスト設定温度に温調された温水が通水されるから、台所、浴室、洗面所等での使用に適した温水温度（上記ミスト設定温度よりも低温）に比較的早く調温することができる。
【０００６】
（３）また、上記混合調節器は、上記ミストサウナ管路における開閉弁よりも上流位置に設けてもよい。
この場合、混合調節器がミストサウナ管路に設けられることから、ミストサウナ管路には上記混合調節器で所望のミスト設定温度に温調された温水が供給されるが、出湯口に通じる出湯管路側には熱交換器で加熱された温水が上記混合調節器を介さずに供給される。従って、ミスト設定温度に影響されない高温の温水を出湯口に通じる出湯管路側に通水させることができ、ミスト設定温度とは無関係に出湯口から出湯させる温水の温調を行うことができる。例えば、出湯口からは、ミスト設定温度よりも高温の温水を出湯させることもできる。
【発明の効果】
【０００７】
以上のように、本発明によるミストサウナ兼用給湯装置によれば、小水量しか使用されないミストサウナ使用であっても所望のミスト設定温度に調整された温水ミストをミストノズルから噴出することができるから、快適なミストサウナを実現することができる。
しかも、切換え弁を設けずにミストサウナ管路を出湯管路に接続してミストサウナ使用中でも給湯使用できるようにするから、ミストサウナと給湯とが同時使用可能な使い勝手のよいものとなる。
【発明を実施するための最良の形態】
【０００８】
以下に、本発明の実施の形態について図面を参照しながら説明する。
図１に示すように、本発明の実施の形態によるミストサウナ兼用給湯装置は、熱源機１に対して浴室ＢＲのミストノズル２０に接続したミストサウナ管路２を設けたものである。また、熱源機１にはリモコン３が通信接続されており、このリモコン３には給湯装置の運転ボタン、ミストサウナ運転ボタン、給湯温度設定部、ミスト温度設定部等（図示せず）が設けられている。
【０００９】
上記熱源機１は、熱交換器４、バーナ５、給水管路６、出湯管路７、制御部８等を有し、この出湯管路７に上記ミストサウナ管路２が分岐接続されている。
上記給水管路６は、熱交換器４の入水口に接続されて熱交換器４に水道水を給水するものである。また、この給水管路６には水量センサＳが設けられており、この水量センサＳは、給水管路６内の通水の有無やその水量を検知するものであり、少なくとも２リットル／分程度の水量があれば検知可能である。
【００１０】
上記出湯管路７は、熱交換器４の出水口に接続されて熱交換器４から熱交換された温水を出水するものである。また、この出湯管路７には、給水管路６から分岐させた第１バイパス管路６１がミストサウナ管路２の分岐部よりも上流位置に合流されており、この合流部にはミキシングバルブ（混合調節器）９が設けられている。ミキシングバルブ９は、制御部８からの制御指令によって出湯管路７からの温水と第１バイパス管路６１からの水道水とを混合調節し、これより下流のミストサウナ管路２に所望のミスト設定温度に調整された温水が供給されるようにしている。このミキシングバルブ９としては、例えば、図２に示すような２軸型電磁弁によって構成することができる。すなわち、第１弁９１の開度調節によって出湯管路７からの温水の流量調節がなされ、第２弁９２の開度調節によって第１バイパス管路６１からの水道水の流量調節がなされる。従って、このミキシングバルブ９より下流のミストサウナ管路２や出湯管路７に供給される温水の温度が所望温度に調整されることとなる。
【００１１】
また、この出湯管路７には、出湯蛇口７０の上流位置に給水管路６から分岐させた第２バイパス管路６２が合流されており、この第２バイパス管路６２には流量調節弁６３が設けられている。第２バイパス管路６２の合流部よりも下流位置の出湯管路７には出湯蛇口７０への給湯温度を検知するためのサーミスタ（温度検知器）Ｔ１が設けられている。そして、このサーミスタＴ１の検知温度に基づいて流量調節弁６３の開度調節によって第２バイパス管路６２から出湯管路７への水道水の流入の有無やその流入量が調節されて、出湯蛇口７０から所望の給湯温度（例えば、３０℃〜５０℃）に調整された温水の出湯を行うようにしている。なお、上記出湯蛇口７０は、台所、浴室ＢＲ（シャワーや浴槽の湯張り等も含む。）、洗面所等での給湯を行わせる給湯口として使用される。
【００１２】
上記ミストサウナ管路２には、このミストサウナ管路２の開閉を行う開閉弁２１と、このミストサウナ管路２内を流れる温水の温度を検知するサーミスタ（温度検知器）Ｔ２とが設けられている。そして、上記開閉弁２１が開弁されると、給水管路６での水道圧によってミストサウナ管路２に温水が供給されて浴室ＢＲのミストノズル２０からミストとなって噴出される。このミストの温度、すなわちミストサウナ管路２内の温水温度は、サーミスタＴ２の検知温度に基づいてミキシングバルブ９が制御されて所望のミスト設定温度（例えば、６０℃、７０℃または８０℃）に調節される。
【００１３】
上記制御部８は、リモコン３と通信接続されたマイコン等で構成されており、このリモコン３からの操作信号によってミストサウナ使用を行うミスト運転や出湯蛇口７０からの給湯使用を行う給湯運転等のためこの給湯装置の動作を制御するものである。そして、この制御部８は、給湯使用のとき給水管路６内を流れる水量として水量センサＳが作動水量（例えば４リットル／分）を検知するとバーナ５の燃焼を行うように制御するが、ミストサウナ使用のときは給水管路６内を流れる水量として水量センサＳが上記作動水量よりも少ない小水量（例えば２リットル／分）を検知すればバーナ５の燃焼を行うように制御する。また、この制御部８は、出湯蛇口７０からの出湯温度がリモコン３の給湯設定温度に温調されるようにバーナ５の燃焼量や流量調節弁６３を制御し、また、ミストノズル２０からのミスト温度がリモコン３のミスト設定温度に温調されるようにバーナ５の燃焼量やミキシングバルブ９を制御する。
【００１４】
次に、上記ミストサウナ兼用給湯装置の動作を説明する。
リモコン３の運転ボタンがオンされ、ミストサウナ運転ボタンがオンされると、ミストサウナ管路２の開閉弁２１が開弁される。すると、水道圧によって給水管路６に水道水が流れる。このとき、水量センサＳによって小水量が検知されると、上記開閉弁２１が開弁されたミストサウナ使用であるので、制御部８によってバーナ燃焼が許可される。これにより、バーナ５の燃焼が行われて熱交換器４によって加熱された温水が出湯管路７に供給される。
【００１５】
この出湯管路７に供給された温水は、ミキシングバルブ９によって第１バイパス管路６１からの水道水と混合されてミストサウナ管路２に供給され、この混合された温水が浴室ＢＲのミストノズル２０からミストとなって噴出される。このミストサウナ管路２内を通水する温水は、サーミスタＴ２によって温度検知され、この検知温度がリモコン３のミスト設定温度となるように上記ミキシングバルブ９で混合調節されて温調される。これにより、ミストノズル２０からは、リモコン３に設定した所望のミスト設定温度（例えば、６０℃、７０℃または８０℃）のミストが噴出される。このようにして浴室ＢＲにおいてミストサウナが実行される。
そして、リモコン３においてミストサウナ運転ボタンがオフされると、ミストサウナ管路２の開閉弁２１が閉弁され、バーナ５が消火されてミストサウナが終了される。
【００１６】
一方、上記ミストサウナ使用中に出湯蛇口７０が開かれて給湯使用がなされると、上記ミスト設定温度となった温水がミキシングバルブ９の下流の出湯管路７に通水され、この出湯管路７内を通水する温水は、第２バイパス管路６２の流量調節弁６３によって第２バイパス管路６２からの水道水と混合されて出湯蛇口７０から出湯される。この出湯蛇口７０から出湯される温水は、出湯蛇口７０より上流位置のサーミスタＴ１によって温度検知され、この検知温度がリモコン３の給湯設定温度（例えば、３０℃〜５０℃）となるように流量調節弁６３で混合調節される。これにより、出湯蛇口７０からは所望の給湯設定温度の湯が出される。このようにしてミストサウナ使用中にあっても所望の給湯設定温度の給湯使用が行える。
また、このミストサウナ使用中は、上記ミキシングバルブ９が出湯管路７に設けられることから、所望のミスト設定温度に温調された温水がミストサウナ管路２のみならず出湯蛇口７０に通じる出湯管路７側にも供給される。従って、出湯蛇口７０に通じる出湯管路７側には熱交換器４で加熱された温水よりも低温のミスト設定温度に温調された温水が通水されるから、台所、浴室ＢＲ、洗面所等での使用に適した温水温度（上記ミスト設定温度よりも低温）に比較的早く調温することができる。
【００１７】
次に、ミストサウナ使用がなされていないときに出湯蛇口７０が開かれて給湯使用がなされる場合（リモコン３において運転ボタンがオンされ、ミストサウナ運転ボタンはオフ状態のとき）、給水管路６に流れる水道水の流量として水量センサＳがミストサウナ使用時の小水量よりも多い作動水量が検知されるとバーナ燃焼が許可される。これにより、バーナ５の燃焼が行われて熱交換器４によって加熱された温水が出湯管路７に供給され、そして、出湯蛇口７０より上流位置のサーミスタＴ１の温度検知がリモコン３の給湯設定温度となるように流量調節弁６３で第２バイパス管路６２からの水道水と混合調節されて所望の給湯設定温度の湯が出湯蛇口７０から出湯される。
【００１８】
以上のように、本実施の形態によるミストサウナ兼用給湯装置によれば、ミストサウナ使用時は給湯使用時の作動水量（例えば、４リットル／分）に達しない小水量（例えば、２リットル／分）しか使用されない場合でも、水量センサＳが上記小水量を検知すれば、制御部８によってバーナ５を燃焼させるようにするので、温水ミストによるミストサウナ使用を確実に行うことができる。また、ミキシングバルブ９によって出湯管路７の温水と第１バイパス管路６１の水道水とを混合調節して温調された温水をミストサウナ管路２に供給するので、小水量しか使用されないミストサウナ使用であっても所望のミスト設定温度に調整された温水ミストをミストノズル２０から噴出することができる。従って、快適なミストサウナを実現することができる。
【００１９】
また、ミストノズル２０に接続されたミストサウナ管路２を熱交換器４から導出した出湯管路７に分岐設置するに際して従来のような切換え弁を介在させないので、ミストサウナ使用中であっても給湯使用することができる。従って、ミストサウナと給湯との同時使用が可能な使い勝手のよいものとなる。
なお、本発明は、上記実施の形態に限らず、本発明の範囲内で種々の設計変更を施すことが可能である。
【００２０】
例えば、上記実施の形態では、ミキシングバルブ９は、上記出湯管路７におけるミストサウナ管路２の接続位置よりも上流位置に設けるが、図３に示すように、上記ミストサウナ管路２内における開閉弁２１よりも上流位置にミキシングバルブ９’を設け、このミキシングバルブ９’に第１バイパス管路６１を接続するようにしてもよい。
この場合、ミキシングバルブ９’がミストサウナ管路２に設けられることから、ミストサウナ管路２には上記ミキシングバルブ９’で所望のミスト設定温度に温調された温水が供給されるが、出湯蛇口７０に通じる出湯管路７側には熱交換器４で加熱された温水がミキシングバルブ９’を介さずに供給される。従って、ミストサウナ使用中にあってもミスト設定温度に影響されない高温の温水を出湯蛇口７０に通じる出湯管路７側に通水させることができ、ミスト設定温度とは無関係に出湯蛇口７０から出湯させる温水の温調を行うことができる。よって、出湯蛇口７０からは、例えば、ミスト設定温度の最高温よりも高温の温水を出湯させることもできる。
また、上記ミキシングバルブ９，９’としては、図２のような２軸型電磁弁を用いるが、１軸型調整弁を用いるものでもよい。
【図面の簡単な説明】
【００２１】
【図１】本発明の実施の形態によるミストサウナ兼用給湯装置の概略構成を示す模式図である。
【図２】ミストサウナ兼用給湯装置におけるミキシングバルブ（混合調節器）の一例を示す模式図である。
【図３】本発明の他の実施の形態によるミストサウナ兼用給湯装置の概略構成を示す模式図である。
【図４】従来のミストサウナ使用できる浴用噴出装置の構成を示す模式図である。
【符号の説明】
【００２２】
１  熱源機
２  ミストサウナ管路
３  リモコン
４  熱交換器
５  バーナ
６  給水管路
７  出湯管路
８  制御部
９，９’  ミキシングバルブ（混合調節器）
２０  ミストノズル
２１  開閉弁
６１  第１バイパス管路（バイパス管路）
６２  第２バイパス管路
６３  流量調節弁
７０  出湯蛇口
ＢＲ  浴室
Ｓ  水量センサ
Ｔ１，Ｔ２  サーミスタ
【図１】
2006275338.tif 000003
【図２】
2006275338.tif 000004
【図３】
2006275338.tif 000005
【図４】
2006275338.tif 000006